(57)【要約】【課題】容量を低下させることなく電極組立体とケースの短絡を抑制できる蓄電装置を提供する。【解決手段】二次電池１０は、複数の正極電極２０及び複数の負極電極４０を有する電極組立体１２と、電極組立体１２を収容する有底筒状のケース本体１３と、電極組立体１２とケース本体１３とを絶縁する絶縁シート５０とを備える。絶縁シート５０は、ケース本体１３の内底面１３ｂと電極組立体１２の底面１２ｂとの間に介在する底面覆部５０ａと、電極組立体１２の側面１２ｃを覆う側面覆部５０ｂとを備える。底面覆部５０ａは、側面覆部５０ｂの厚みよりも厚い肉厚部５３を有する。【選択図】図３
2018120789.tif 000002
【特許請求の範囲】
【請求項１】
複数の正極電極及び複数の負極電極を有する電極組立体と、
前記電極組立体を収容する有底筒状のケースと、
前記電極組立体と前記ケースとを絶縁する絶縁シートと
を備えた蓄電装置であって、
前記絶縁シートは、前記ケースの内底面と前記電極組立体の底面との間に介在する底面覆部と、前記電極組立体の側面を覆う側面覆部とを備え、
前記底面覆部は、前記側面覆部の厚みよりも厚い肉厚部を有することを特徴とする蓄電装置。
【請求項２】
前記絶縁シートは、前記底面覆部を構成する第１シートと、前記底面覆部及び前記側面覆部を構成する第２シートとを有し、
前記第１シートは、前記電極組立体の底面と前記第２シートとの間に位置し、
前記肉厚部は、前記第１シートと前記第２シートが重なって構成される請求項１に記載の蓄電装置。
【請求項３】
前記第１シートの前記電極組立体側の面は粘着面である請求項２に記載の蓄電装置。
【請求項４】
前記第１シートの大きさは、前記電極組立体の底面の大きさと同じである請求項２又は請求項３に記載の蓄電装置。
【請求項５】
前記絶縁シートは、前記底面覆部を構成する第１シートと、前記底面覆部及び前記側面覆部を構成する第２シートとを有し、
前記第１シートは、前記第２シートと前記ケースの内底面との間に位置し、
前記肉厚部は、前記第１シートと前記第２シートが重なって構成される請求項１に記載の蓄電装置。
【請求項６】
前記第１シートの大きさは、前記ケースの内底面の大きさと同じである請求項５に記載の蓄電装置。
【請求項７】
前記第１シートの材料は、前記第２シートの材料と同じである請求項２〜請求項６の何れか一項に記載の蓄電装置。
【発明の詳細な説明】
【技術分野】
【０００１】
本発明は、複数の正極電極及び負極電極を有する電極組立体と、電極組立体を収容する有底筒状のケースと、電極組立体とケースとを絶縁する絶縁シートとを備えた蓄電装置に関する。
【背景技術】
【０００２】
ＥＶ（Electric Vehicle）やＰＨＶ（Plug-in Hybrid Vehicle）などの車両には、走行用モータへの供給電力を蓄える蓄電装置としての二次電池が搭載されている。二次電池は、シート状の正極電極及び負極電極を有する電極組立体と、当該電極組立体を収容する有底筒状のケースとを備えている。また、電極組立体を有底筒状に形成された絶縁シートによって覆うことで、電極組立体とケースとを絶縁させている（特許文献１参照）。
【先行技術文献】
【特許文献】
【０００３】
【特許文献１】特開２０１５−３２３８６号公報
【発明の概要】
【発明が解決しようとする課題】
【０００４】
ところで、二次電池においては、容量を大きくするために、ケース内を占める電極組立体の容積を大きくすることが望まれている。このため、ケースと電極組立体との間に介在する絶縁シートは、厚みが薄い方が好ましい。
【０００５】
その一方で、電極組立体は絶縁シートを介してケースの内底面に支持されており、二次電池の使用時の振動により、絶縁シートは、電極組立体の底面とケースの内底面との間で破れ、電極組立体とケースが短絡してしまうおそれがある。
【０００６】
本発明は、上記課題を解決するためになされたものであり、その目的は、容量を低下させることなく電極組立体とケースの短絡を抑制できる蓄電装置を提供することにある。
【課題を解決するための手段】
【０００７】
上記問題点を解決するための蓄電装置は、複数の正極電極及び複数の負極電極を有する電極組立体と、前記電極組立体を収容する有底筒状のケースと、前記電極組立体と前記ケースとを絶縁する絶縁シートとを備えた蓄電装置であって、前記絶縁シートは、前記ケースの内底面と前記電極組立体の底面との間に介在する底面覆部と、前記電極組立体の側面を覆う側面覆部とを備え、前記底面覆部は、前記側面覆部の厚みよりも厚い肉厚部を有することを要旨とする。
【０００８】
これによれば、電極組立体の底面とケースの内底面との間には肉厚部が介在している。肉厚部は、側面覆部よりも厚く、蓄電装置の使用時の振動によりケースの内底面と接触したとしても破れにくい。また、底面覆部に肉厚部を形成しつつも、電極組立体の側面を覆う側面覆部は薄くすることで、ケース内に収容可能な正極電極及び負極電極の枚数を減らさずに済む。よって、蓄電装置の容量を低下させることなく、電極組立体の底面とケースの内底面との短絡を抑制できる。
【０００９】
また、蓄電装置について、前記絶縁シートは、前記底面覆部を構成する第１シートと、前記底面覆部及び前記側面覆部を構成する第２シートとを有し、前記第１シートは、前記電極組立体の底面と前記第２シートとの間に位置し、前記肉厚部は、前記第１シートと前記第２シートが重なって構成されるのが好ましい。
【００１０】
これによれば、２枚の絶縁シートを重ねて肉厚部を構成するため、１枚の絶縁フィルムに肉厚部と肉厚部よりも薄い部分を製造するよりも、容易に肉厚部を製造できる。
また、蓄電装置について、前記第１シートの前記電極組立体側の面は粘着面であるのが好ましい。
【００１１】
これによれば、電極組立体の一部が脱落して異物が発生したとしても、異物は第１シートの粘着面に付着する。よって、異物が蓄電装置内で撒き散らされることを抑制できる。
また、蓄電装置について、前記第１シートの大きさは、前記電極組立体の底面の大きさと同じであるのが好ましい。
【００１２】
これによれば、肉厚部（第１シート及び第２シートが重なる部分）の大きさを電極組立体の底面の大きさと同じにできる。よって、底面覆部を構成する第１シート及び第２シートの一方のシートのどの部分が破れても、他方のシートによって電極組立体とケースとの絶縁状態を維持でき、電極組立体とケースとの短絡をより抑制できる。
【００１３】
また、蓄電装置について、前記絶縁シートは、前記底面覆部を構成する第１シートと、前記底面覆部及び前記側面覆部を構成する第２シートとを有し、前記第１シートは、前記第２シートと前記ケースの内底面との間に位置し、前記肉厚部は、前記第１シートと前記第２シートが重なって構成されるのが好ましい。
【００１４】
これによれば、２枚のシートを重ねて肉厚部を構成するため、１枚の絶縁フィルムに肉厚部と肉厚部よりも薄い部分を製造するよりも、容易に肉厚部を製造できる。また、電極組立体及び第２シートをケースに収容する前に第１シートをケースの底面に配置しておけば、電極組立体と第２シートをケースに収容すると肉厚部を形成できる。
【００１５】
また、蓄電装置について、前記第１シートの大きさは、前記ケースの内底面の大きさと同じであるのが好ましい。
これによれば、肉厚部（第１シート及び第２シートが重なる部分）の大きさを電極組立体の底面よりも大きいケースの内底面の大きさと同じにできる。よって、底面覆部を構成する第１シート及び第２シートの一方のシートのどの部分が破れても、他方のシートによって電極組立体とケースとの絶縁状態を維持できる。また、第１シートの大きさを電極組立体の底面の大きさと同じにする場合よりも肉厚部を大きくできるため、電極組立体とケースとの短絡をより抑制できる。また、剛体であるケースの内底面に合わせて第１シートの大きさを決定できるため、第１シートを容易に製造できる。
【００１６】
また、蓄電装置について、前記第１シートの材料は、前記第２シートの材料と同じであるのが好ましい。
これによれば、第１シートの材料と第２シートの材料を別々に用意せずに済む。
【発明の効果】
【００１７】
本発明によれば、容量を低下させることなく絶縁シートの破れを抑制できる。
【図面の簡単な説明】
【００１８】
【図１】第１の実施形態の二次電池の分解斜視図。
【図２】第１の実施形態の電極組立体の分解斜視図。
【図３】第１の実施形態の二次電池の部分断面図。
【図４】第２の実施形態の二次電池の分解斜視図。
【図５】第２の実施形態の二次電池の部分断面図。
【図６】第３の実施形態の二次電池の分解斜視図。
【図７】第３の実施形態の二次電池の部分断面図。
【発明を実施するための形態】
【００１９】
（第１の実施形態）
以下、蓄電装置を二次電池に具体化した第１の実施形態を図１〜図３にしたがって説明する。
【００２０】
図１に示すように、蓄電装置としての二次電池１０は、直方体状のケース１１を備え、このケース１１内には電極組立体１２が収容されている。ケース１１は、有底四角筒状の金属製（例えば、アルミニウム製又はアルミニウム合金製）のケース本体１３と、ケース本体１３の開口部１３ａを塞ぐ蓋１４とを有する。ケース本体１３は、内底面１３ｂ（図３で図示）と、内底面１３ｂに繋がる４つの側壁１３ｃとを備える。ケース１１内には図示しない電解質（電解液）が収容されている。本実施形態の二次電池１０は、リチウムイオン二次電池である。
【００２１】
二次電池１０は、電極組立体１２から電気を取り出すための端子としての正極端子１５と負極端子１６とを備える。正極端子１５及び負極端子１６は、蓋１４の貫通孔１４ａを貫通してケース１１外に突出する。正極端子１５及び負極端子１６には、ケース１１から絶縁するためのリング状の絶縁リング１７がそれぞれ取り付けられている。正極端子１５は、ケース１１内に矩形板状の導電部材としての正極導電部材１５ａを有する。正極端子１５は、正極導電部材１５ａと電気的に接続されている。負極端子１６は、ケース１１内に矩形板状の導電部材としての負極導電部材１６ａを有する。負極端子１６は、負極導電部材１６ａと電気的に接続されている。
【００２２】
図２に示すように、電極組立体１２は、電極としての正極電極２０を収納した電極収納セパレータ３０と、正極電極２０とは極性の異なる電極としての負極電極４０と、を有する。電極組立体１２は、複数の電極収納セパレータ３０と複数の負極電極４０とを交互に積層して層状とした構造である。これにより、複数の正極電極２０と複数の負極電極４０とが、電極収納セパレータ３０のセパレータ部材３１を間に挟んだ状態で交互に積層されている。本実施形態では、正極電極２０、セパレータ部材３１、及び負極電極４０が何れも矩形状である。電極収納セパレータ３０及び負極電極４０が積層された方向を電極組立体１２の積層方向とする。
【００２３】
正極電極２０は、矩形シート状の正極金属箔（例えばアルミニウム箔）２１と、正極金属箔２１の両面に正極活物質を含む正極活物質層２２と、を有する。正極電極２０において、一対の長辺に沿う縁部のうちの一方の縁部を第１の縁部２０ａとすると、正極電極２０は、第１の縁部２０ａから突出した形状の正極タブ２３を有する。正極タブ２３は、正極金属箔２１において正極活物質層２２が存在せず、正極金属箔２１そのもので構成された部分である。
【００２４】
本実施形態では、第１の縁部２０ａに沿う辺が正極電極２０の一辺となる。また、正極電極２０において、第１の縁部２０ａの対辺となる他方の長辺に沿う縁部を第２の縁部２０ｂとし、第１の縁部２０ａと第２の縁部２０ｂ同士を繋ぐ一対の短辺に沿う縁部をそれぞれ第３の縁部２０ｃとする。
【００２５】
負極電極４０は、矩形シート状の負極金属箔（例えば銅箔）４１と、負極金属箔４１の両面に負極活物質を含む負極活物質層４２と、を有する。負極電極４０において、一対の長辺のうちの一方の長辺に沿う縁部を第１の縁部４０ａとすると、負極電極４０は、第１の縁部４０ａから突出した形状の負極タブ４３を有する。負極タブ４３は、負極金属箔４１において負極活物質層４２が存在せず、負極金属箔４１そのもので構成された部分である。本実施形態では、第１の縁部４０ａに沿う辺が負極電極４０の一辺となる。また、負極電極４０において、第１の縁部４０ａの対辺となる他方の長辺に沿う縁部を第２の縁部４０ｂとし、第１の縁部４０ａと第２の縁部４０ｂ同士を繋ぐ一対の短辺に沿う縁部をそれぞれ第３の縁部４０ｃとする。
【００２６】
負極電極４０の第１の縁部４０ａの長さは、正極電極２０の第１の縁部２０ａの長さより長く、負極電極４０の第２の縁部４０ｂの長さは、正極電極２０の第２の縁部２０ｂの長さより長い。さらに、負極電極４０の第３の縁部４０ｃの長さは、正極電極２０の第３の縁部２０ｃの長さより長い。よって、負極電極４０は、正極電極２０より一回り大きい。
【００２７】
電極組立体１２は、蓋１４の内側面と対向するタブ側端面１２ａに、正極タブ２３が積層されることによって構成された正極タブ群２３ａと、負極タブ４３が積層されることによって構成された負極タブ群４３ａとを備える。正極タブ群２３ａ及び負極タブ群４３ａは、正極タブ２３及び負極タブ４３を電極組立体１２の積層方向の一端に寄せ集めた後、積層方向の他端に向けて折り返して形成されている。正極タブ群２３ａは、正極導電部材１５ａと電気的に接続され、負極タブ群４３ａは、負極導電部材１６ａと電気的に接続されている。
【００２８】
電極収納セパレータ３０は、互いに対峙する矩形シート状のセパレータ部材３１を含む。各セパレータ部材３１は、何れも絶縁性を有する樹脂製（例えばポリエチレン製）である。２枚のセパレータ部材３１は同形状、且つ同サイズであり、正極電極２０よりも一回り大きなサイズである。
【００２９】
各セパレータ部材３１は、正極電極２０を重ねた状態において、正極電極２０の第１の縁部２０ａから、正極タブ２３の突出方向にはみ出した第１はみ出し部３１ａを有する。また、各セパレータ部材３１は、正極電極２０の第２の縁部２０ｂ及び一対の第３の縁部２０ｃに沿う３辺からはみ出す第２はみ出し部３１ｂを有する。電極収納セパレータ３０は、セパレータ部材３１の第１はみ出し部３１ａ同士が接合されるとともに、第２はみ出し部３１ｂ同士が接合されて形成されている。電極収納セパレータ３０は、第２はみ出し部３１ｂのうち、第２の縁部２０ｂに沿う部位同士が接合された部位に底側縁部３０ａを備える。
【００３０】
電極組立体１２は、ケース本体１３の内底面１３ｂ側の端面に底面１２ｂを備える。底面１２ｂは、電極収納セパレータ３０の底側縁部３０ａ、及び負極電極４０の第２の縁部４０ｂが積層されて構成されている。電極収納セパレータ３０の底側縁部３０ａと、負極電極４０の第２の縁部４０ｂとは同一面上に位置している。また、電極組立体１２は、ケース本体１３の４つの側壁１３ｃ側の４つの端面に側面１２ｃを備える。
【００３１】
図１及び図３に示すように、二次電池１０は、電極組立体１２とケース本体１３とを絶縁する絶縁シート５０を備える。絶縁シート５０は、２枚のシート（第１シート５１及び第２シート５２）を備える。第１シート５１と第２シート５２は、同じ樹脂から製造されたシートである。絶縁シート５０は、電極組立体１２の底面１２ｂ全体を覆う底面覆部５０ａと、電極組立体１２の４つの側面１２ｃを覆う筒状の側面覆部５０ｂとを備える。底面覆部５０ａは、第１シート５１及び第２シート５２から構成され、側面覆部５０ｂは、第２シート５２から構成されている。底面覆部５０ａは、第１シート５１と第２シート５２が重なって構成された肉厚部５３を有する。
【００３２】
第１シート５１は、電極組立体１２の底面１２ｂを覆うように配置され、底面覆部５０ａを構成している。第１シート５１の大きさは、電極組立体１２の底面１２ｂの大きさと同じである。第１シート５１の電極組立体１２側の面は、粘着性を有する粘着面５１ａである。この粘着面５１ａにより、第１シート５１は、電極組立体１２の底面１２ｂに接着されている。
【００３３】
第２シート５２は、電極組立体１２の底面１２ｂ及び４つの側面１２ｃを覆うように配置される。第２シート５２は、第１シート５１によって底面１２ｂが覆われた電極組立体１２の底面１２ｂを覆う第１部位５２ａと、電極組立体１２の４つの側面１２ｃを覆う第２部位５２ｂとを備える。第１部位５２ａは矩形状であり、第２部位５２ｂは第１部位５２ａの各縁部から立設している。第２部位５２ｂは、電極組立体１２の４つの側面１２ｃとケース本体１３の４つの側壁１３ｃとの間に位置し、第１部位５２ａは、第１シート５１とケース本体１３の内底面１３ｂとの間に位置する。第１部位５２ａは第１シート５１とともに底面覆部５０ａを構成し、第２部位５２ｂは側面覆部５０ｂを構成している。なお、第２シート５２は、１枚の絶縁フィルムを有底四角筒状に折って形成されており、折り曲げによって互いに重なった部分は、テープ５４によって電極組立体１２の側面１２ｃに沿うように貼り付けられている。
【００３４】
肉厚部５３は、第１シート５１と第２シート５２の第１部位５２ａが重なる部分であり、電極組立体１２の底面１２ｂ全体を覆うように存在する。底面覆部５０ａの厚みは、第２シート５２のみで構成された側面覆部５０ｂの厚みよりも厚い。そして、肉厚部５３上に電極組立体１２が支持されている。
【００３５】
次に、第１の実施形態の効果を作用と合わせて記載する。
（１）電極組立体１２の底面１２ｂとケース本体１３の内底面１３ｂとの間には肉厚部５３が介在している。肉厚部５３は、側面覆部５０ｂよりも厚く、二次電池１０の使用時の振動によりケース本体１３の内底面１３ｂと接触したとしても破れにくい。また、底面覆部５０ａに肉厚部５３を形成しつつも、電極組立体１２の側面１２ｃを覆う側面覆部５０ｂは薄くすることで、ケース本体１３内に収容可能な電極収納セパレータ３０及び負極電極４０の枚数を減らさずに済む。よって、二次電池１０の容量を低下させることなく、電極組立体１２の底面１２ｂとケース本体１３の内底面１３ｂとの短絡を抑制できる。
【００３６】
（２）２枚の絶縁シート５０（第１シート５１及び第２シート５２）を重ねて肉厚部５３を構成しているため、１枚の絶縁フィルムに肉厚部５３と肉厚部５３よりも薄い部分を製造するよりも、容易に肉厚部５３を製造できる。
【００３７】
（３）第１シート５１の電極組立体１２側の面は粘着面５１ａである。このため、二次電池１０の使用時に電極組立体１２の一部（例えば、負極活物質層４２）が脱落して異物が発生したとしても、異物は第１シート５１の粘着面５１ａに付着する。よって、異物が二次電池１０内で撒き散らされることを抑制できる。
【００３８】
（４）第１シート５１の大きさは、電極組立体１２の底面１２ｂの大きさと同じである。このため、肉厚部５３（第１シート５１及び第２シート５２が重なる部分）の大きさと電極組立体１２の底面１２ｂの大きさとを同じにできる。よって、底面覆部５０ａを構成する第１シート５１及び第２シート５２の第１部位５２ａの一方のシートのどの部分が破れても、他方のシートによって電極組立体１２とケース本体１３との絶縁状態を維持でき、電極組立体１２とケース本体１３との短絡をより抑制できる。
【００３９】
（５）第１シート５１と第２シート５２は、同じ樹脂から製造されるため、第１シート５１の材料と第２シート５２の材料を別々に用意せずに済む。
（第２の実施形態）
以下、蓄電装置を二次電池に具体化した第２の実施形態を図４及び図５にしたがって説明する。なお、ケース１１及び電極組立体１２の構成は、第１の実施形態と同一の構成であるため、説明を省略する。
【００４０】
図４及び図５に示すように、二次電池１０は、電極組立体１２とケース本体１３とを絶縁する絶縁シート６０を備える。絶縁シート６０は、２枚のシート（第１シート６１及び第２シート６２）を備える。第１シート６１と第２シート６２は、同じ樹脂から製造されたシートである。絶縁シート６０は、電極組立体１２の底面１２ｂ全体を覆う底面覆部６０ａと、電極組立体１２の４つの側面１２ｃを覆う筒状の側面覆部６０ｂとを備える。底面覆部５０ａは、第１シート５１及び第２シート５２から構成され、側面覆部５０ｂは、第２シート５２から構成されている。底面覆部６０ａは、第１シート６１と第２シート６２が重なって構成された肉厚部６３を有する。
【００４１】
第２シート６２は、電極組立体１２の底面１２ｂ及び４つの側面１２ｃを覆うように配置される。第２シート６２は、電極組立体１２の底面１２ｂを覆う第１部位６２ａと、電極組立体１２の４つの側面１２ｃを覆う第２部位６２ｂとを備える。第１部位６２ａは矩形状であり、第２部位６２ｂは第１部位６２ａの各縁部から立設している。第１部位６２ａは底面覆部６０ａを構成し、第２部位６２ｂは側面覆部６０ｂを構成している。なお、第２シート６２は、１枚の絶縁フィルムを有底四角筒状に折って形成されており、折り曲げによって互いに重なった部分は、テープ６４によって電極組立体１２の側面１２ｃに沿うように貼り付けられている。電極組立体１２の底面１２ｂは、第２シート６２の第１部位６２ａに当接している。
【００４２】
第１シート６１は、第２シート６２の第１部位６２ａによって覆われた電極組立体１２の底面１２ｂを覆うように配置され、底面覆部６０ａを構成している。第１シート６１の大きさは、ケース本体１３の内底面１３ｂの大きさと同じである。第１シート６１は、第２シート６２の第１部位６２ａとケース本体１３の内底面１３ｂとの間に位置する。第２シート６２の第１部位６２ａは、電極組立体１２の底面１２ｂと第１シート６１との間に位置し、第２部位６２ｂは、電極組立体１２の４つの側面１２ｃとケース本体１３の４つの側壁１３ｃとの間に位置する。
【００４３】
肉厚部６３は、第２シート６２の第１部位６２ａと第１シート６１が重なる部分であり、電極組立体１２の底面１２ｂ全体を覆うように存在する。よって、肉厚部６３の厚みは、第２シート６２のみで構成された側面覆部６０ｂの厚みよりも厚い。そして、肉厚部６３上に電極組立体１２が支持されている。
【００４４】
次に、第２の実施形態の効果を作用と合わせて記載する。
（６）電極組立体１２の底面１２ｂとケース本体１３の内底面１３ｂとの間には肉厚部６３が介在している。肉厚部６３は、側面覆部６０ｂよりも厚く、二次電池１０の使用時の振動によりケース本体１３の内底面１３ｂと接触したとしても破れにくい。また、底面覆部６０ａに肉厚部６３を形成しつつも、電極組立体１２の側面１２ｃを覆う側面覆部６０ｂは薄くすることで、ケース本体１３内に収容可能な電極収納セパレータ３０及び負極電極４０の枚数を減らさずに済む。よって、二次電池１０の容量を低下させることなく、電極組立体１２の底面１２ｂとケース本体１３の内底面１３ｂとの短絡を抑制できる。
【００４５】
（７）２枚の絶縁シート６０（第１シート６１及び第２シート６２）を重ねて肉厚部６３を構成しているため、１枚の絶縁フィルムに肉厚部６３と肉厚部６３よりも薄い部分を製造するよりも、容易に肉厚部６３を製造できる。また、第２シート６２によって覆われた電極組立体１２をケース本体１３に収容する前に第１シート６１をケース本体１３の内底面１３ｂに配置しておけば、電極組立体１２と第２シート６２をケース本体１３に収容すると、肉厚部６３を形成できる。
【００４６】
（８）第１シート６１の大きさは、ケース本体１３の内底面１３ｂの大きさと同じである。このため、肉厚部６３（第１シート６１及び第２シート６２が重なる部分）の大きさを電極組立体１２の底面１２ｂよりも大きいケース本体１３の内底面１３ｂの大きさと同じにできる。よって、底面覆部５０ａを構成する第１シート５１及び第２シート５２の第１部位５２ａの一方のシートのどの部分が破れても、他方のシートによって電極組立体１２とケース本体１３との絶縁状態を維持できる。また、第１シート６１の大きさを電極組立体１２の底面１２ｂの大きさと同じにする場合よりも肉厚部６３を大きくできるため、電極組立体１２とケース本体１３との短絡をより抑制できる。また、剛体であるケース本体１３の内底面１３ｂに合わせて第１シート６１の大きさを決定できるため、第１シート６１を容易に製造できる。
【００４７】
（９）第１シート６１と第２シート６２は、同じ樹脂から製造されるため、第１シート６１の材料と第２シート６２の材料を別々に用意せずに済む。
（第３の実施形態）
以下、蓄電装置を二次電池に具体化した第３の実施形態を図６及び図７にしたがって説明する。なお、ケース１１及び電極組立体１２の構成は、第１の実施形態と同一の構成であるため、説明を省略する。
【００４８】
図６及び図７に示すように、二次電池１０は、電極組立体１２とケース本体１３とを絶縁する樹脂製の１枚の絶縁シート７０を備える。絶縁シート７０は、電極組立体１２の底面１２ｂ全体及び４つの側面１２ｃを覆うように配置される。絶縁シート７０は、電極組立体１２の底面１２ｂ全体を覆う底面覆部７０ａと、電極組立体１２の４つの側面１２ｃを覆う筒状の側面覆部７０ｂとを備える。底面覆部７０ａは、電極組立体１２の底面１２ｂ全体を覆う第１部位７１から構成され、側面覆部７０ｂは、電極組立体１２の４つの側面１２ｃを覆う第２部位７２から構成されている。第１部位７１は矩形状であり、第２部位７２は第１部位７１の各縁部から立設している。底面覆部７０ａは、側面覆部７０ｂの厚みよりも厚い肉厚部７３を有する。本実施形態では、底面覆部７０ａ全体の厚みが側面覆部７０ｂよりも厚くなっている。すなわち、底面覆部７０ａ全体が肉厚部７３である。そして、肉厚部７３上に電極組立体１２が支持されている。なお、絶縁シート７０は、１枚の絶縁フィルムを有底四角筒状に折って形成されており、折り曲げによって互いに重なった部分は、テープ７４によって電極組立体１２の側面１２ｃに沿うように貼り付けられている。
【００４９】
次に、第３の実施形態の効果を作用と合わせて記載する。
（１０）電極組立体１２の底面１２ｂとケース本体１３の内底面１３ｂとの間には肉厚部７３が介在している。肉厚部７３は、側面覆部７０ｂよりも厚く、二次電池１０の使用時の振動によりケース本体１３の内底面１３ｂと接触したとしても破れにくい。また、底面覆部７０ａに肉厚部７３を形成しつつも、電極組立体１２の側面１２ｃを覆う側面覆部７０ｂは薄くすることで、ケース本体１３内に収容可能な電極収納セパレータ３０及び負極電極４０の枚数を減らさずに済む。よって、二次電池１０の容量を低下させることなく、電極組立体１２の底面１２ｂとケース本体１３の内底面１３ｂとの短絡を抑制できる。
【００５０】
（１１）第１部位７１全体の厚みを第２部位７２よりも厚くしているため、絶縁シート７０の底面覆部７０ａ全体を破れにくくできる。よって、電極組立体１２とケース本体１３との短絡をより抑制できる。
【００５１】
なお、第１〜第３の実施形態は、以下のように変更してもよい。
○  正極電極２０は、正極金属箔２１の片面に正極活物質層２２が存在する構造でもよい。同様に、負極電極４０は、負極金属箔４１の片面に負極活物質層４２が存在する構成でもよい。
【００５２】
○  電極組立体１２は、正極電極２０を収納した電極収納セパレータ３０と負極電極４０とを交互に積層した構造であったが、複数の正極電極２０と複数の負極電極４０とをセパレータを介して交互に積層した構造であってもよい。
【００５３】
○  正極電極２０は、正極タブ２３以外に正極活物質層２２が存在しない部分を備えていてもよい。同様に、負極電極４０は、負極タブ４３以外に負極活物質層４２が存在しない部分を備えていてもよい。
【００５４】
○  正極金属箔２１は、アルミニウム箔に限定されず、正極電極２０を構成できる他の金属箔であってもよい。同様に、負極金属箔４１は、銅箔に限定されず、負極電極４０を構成できる他の金属箔であってもよい。
【００５５】
○  上記実施形態では、正極端子１５と正極導電部材１５ａとは一体化されていたが、別構成にしてもよい。同様に、負極端子１６と負極導電部材１６ａとは一体化されていたが、別構成にしてもよい。
【００５６】
○  絶縁シート５０，６０，７０は、非導電材料であれば樹脂製でなくてもよい。
○  第１シート５１の材料は、第２シート５２の材料と異なる材料でもよい。また、第１シート６１の材料は、第２シート６２の材料と異なる材料でよい。
【００５７】
○  第１の実施形態の第１シート５１の大きさは、電極組立体１２の底面１２ｂよりも小さくてもよい。この場合、底面覆部５０ａにおける肉厚部５３（第１シート５１及び第２シート５２が重なる部分）の大きさは小さくなる。同様に、第２の実施形態の第１シート６１の大きさは、ケース本体１３の内底面１３ｂよりも小さくてもよい。この場合、底面覆部６０ａにおける肉厚部６３（第１シート６１及び第２シート６２が重なる部分）の大きさは小さくなる。なお、底面覆部５０ａ，６０ａにおける肉厚部５３，６３の大きさを電極組立体１２の底面１２ｂの大きさの半分以上とすれば、電極組立体１２のがたつきを抑制できる。
【００５８】
また、第３の実施形態において、底面覆部７０ａの一部の厚みを側面覆部７０ｂよりも厚くしてもよい。この場合、底面覆部７０ａにおける肉厚部７３の大きさが小さくなる。なお、肉厚部７３の大きさを電極組立体１２の底面１２ｂの大きさの半分以上とすれば、電極組立体１２のがたつきを抑制できる。
【００５９】
○  第１〜第３の実施形態では、側面覆部５０ｂは、電極組立体１２の４つの側面１２ｃを覆っていたが、電極組立体１２の積層方向の端面としての側面を覆っていれば、４つの側面１２ｃを覆わなくてもよい。ただし、側面覆部５０ｂによって覆われていない側面に関しては、例えば、ケース本体１３の側壁１３ｃの内側に絶縁シートを配置したり、皮膜を形成したりするなどして、ケース本体１３と絶縁させる必要がある。
【００６０】
○  絶縁シート５０，６０，７０において折り曲げによって重なった部分は、テープ５４，６４，７４によって電極組立体１２の側面１２ｃに貼り付けられていたが、重なった部分同士を熱溶着してもよい。
【００６１】
○  二次電池１０は、リチウムイオン二次電池でもよいし、他の二次電池であってもよい。要は、正極用の活物質と負極用の活物質との間をイオンが移動するとともに電荷の授受を行うものであればよい。
【００６２】
○  蓄電装置は、例えばキャパシタなど、二次電池以外の蓄電装置にも適用可能である。
【符号の説明】
【００６３】
１０…蓄電装置としての二次電池、１１…ケース、１２…電極組立体、１２ｂ…底面、１３…ケース本体、１３ｂ…内底面、２０…正極電極、４０…負極電極、５０，６０，７０…絶縁シート、５０ａ，６０ａ，７０ａ…底面覆部、５０ｂ，６０ｂ，７０ｂ…側面覆部、５１，６１…第１シート、５１ａ…粘着面、５２，６２…第２シート、５３，６３，７３…肉厚部。
【図１】
2018120789.tif 000003
【図２】
2018120789.tif 000004
【図３】
2018120789.tif 000005
【図４】
2018120789.tif 000006
【図５】
2018120789.tif 000007
【図６】
2018120789.tif 000008
【図７】
2018120789.tif 000009